(57)【要約】      （修正有）【課題】  自立型や衡立型の間仕切り部材により形成し、引戸を出入口に備えたブースにおいて、当該出入口に適用する鎖錠装置を含む入退室管理システムを、従来のこの種ブースに見られた問題点を生じることなく、適合可能にすること。【解決手段】引戸７を備えたブースＢにおいて、引戸７を閉じたときの引戸前端部と戸当り部９、又は、閉じた引戸７と引戸７と対面するブース側の部材に、電磁石10aと該磁石の磁力に吸着される磁性体10bとを対設させて成る電磁吸着錠10を設ける一方、電磁石10aのオン，オフ動作の制御をする制御部12に接続して、登録された人の指静脈パターンなど各人に固有の生体的特徴の同一性の有無を判別する生体認証手段11を当該ブースＢの出入口４の近傍に設け、該認証手段11により登録された本人であるときのみ、制御部12に電磁石10aをオフさせて電磁吸着錠10を開錠し引戸７の開放を許容するようにした。【選択図】図２
2006037452.tif 000002
【特許請求の範囲】
【請求項１】
立設した柱部材と壁パネルを有する自立型間仕切り部材により、又は、該間仕切り部材と既設壁面により適宜の平面形状のブースを形成すると共にその一部に出入口を形成し、該出入口に開閉自在の引戸を備えたブースにおいて、前記引戸を閉じたときの引戸前端部と戸当り部、又は、閉じた引戸と当該引戸と対面するブース側の部材に、電磁石と該磁石の磁力に吸着される磁性体とを対設させて成る電磁吸着錠を設ける一方、前記電磁石のオン，オフ動作の制御をする制御部に接続して、登録された人の指静脈パターンなど各人に固有の生体的特徴の同一性の有無を判別する生体認証手段を当該ブースの出入口の近傍に設け、該認証手段により登録された本人であるときのみ、前記制御部に電磁石をオフさせて前記電磁吸着錠を開錠し前記引戸の開放を許容するようにしたことを特徴とする引戸を備えたブース。
【請求項２】
電磁吸着錠における電磁石のオン及び／又はオフ状態を、生体認証手段の検出部の近くに設けた表示部に、内容が異なる光や音などにより報知させるようにした請求項１の引戸を備えたブース。
【請求項３】
引戸は、その開閉方式を手動式又は自動式のいずれかのものを用いた請求項１又は２の引戸を備えたブース。
【請求項４】
立設した柱部材と壁パネルを有する自立型間仕切り部材により、又は、該間仕切り部材と既設壁面により適宜の平面形状のブースを形成すると共にその一部に出入口を形成し、該出入口に開閉自在の引戸を備えたブースにおいて、前記引戸に自動式引戸を用いる一方、前記自動式引戸の開閉動作の制御をする制御部に接続され、かつ、登録された人の指静脈パターンなど各人に固有の生体的特徴の同一性の有無を判別する生体認証手段を当該ブースの出入口の近傍に設け、該認証手段により登録された本人であるときのみ、前記制御部に引戸を開扉動作させるようにしたことを特徴とする引戸を備えたブース。
【請求項５】
使用する間仕切り部材は、壁パネルと壁パネルを挟む左右の柱部材とこれらの柱部材に架設された上部梁部材を備えており、隣合う間仕切り部材同士が柱部材及び／又は上部梁部材において結合できるものを用いた請求項１〜４のいずれかの引戸を備えたブース。
【請求項６】
２以上の間仕切り部材が連結されるブースのコーナー部や直線連接部では、重複する柱部材を隣接する間仕切り部材同士で共用する形態にした請求項１〜５のいずれかの引戸を備えたブース。
【請求項７】
ブースを形成する間仕切り部材における壁面の少なくとも１面又はそれ以上の面における一部乃至全部の範囲を、当該ブース内が透視できる材料により形成した請求項１〜６のいずれかの引戸を備えたブース。
【請求項８】
間仕切り部材は天井近くまでの高さに形成した請求項１〜７のいずれかの引戸を備えたブース。
【発明の詳細な説明】
【技術分野】
【０００１】
本発明はオフィスや事業所などにおいて、個人情報や企業情報、或は、それらに係る重要書類など勝手に外部へ持出されたりすると支障や不都合のあるコンピュータ設備や収納庫などを、安全裡に設置しておくことができる引戸を備えたブースに関する。
【背景技術】
【０００２】
近時、各種事業所のオフィスから個人情報や重要書類などが勝手に外部に持出されることがままあり、その会社の信用が毀損されたり、賠償責問題に発展する事態が散見される。
【０００３】
従来のオフィスにおいては、種々の情報は主として紙媒体に記録されて保管等されるものが大半であったため、紙媒体に記録された重要情報は、その紙媒体を金庫や収納庫などに保管して管理する方式が主流であった。ところが、近年のいわゆるＩＴ化の著しい進展、並びに、各分野への浸透によって、重要情報がコンピュータを主体とする電子情報に置き換わり、紙媒体のように外見からでは情報の不当，不正な持出しなどがなされてことを判別することがきわめて困難になりつつあり、この結果、冒頭に述べたような問題が派生すると考えられている。
【０００４】
この対策として重要情報（データ）が格納されているコンピュータを、独立して閉鎖可能なコンピュータ専用室や管理室などに設置することがなされているが、例えば、規模が大きな事業所などでは、各部署ごとに、その部署に係る重要情報を格納したコンピュータを備えていることが多いため、各部署ごとに独立したコンピュータ専用室や管理室を設置することは、設備費用もさることながら、設置スペースの問題などがあって事実上不可能に近かった。
【０００５】
この点の対応措置として採られている例は、重要情報等のデータなどが格納されたコンピュータ設備などを、オフィス内のフロアごとに一箇所に集めて設置し、その設置場所を出入口に引戸を備えた自立型の間仕切り部材や衡立型の間仕切り部材、或は、これらの間仕切り部材と既設壁面を組合せて適宜の平面形状に囲った空間のブースに形成し、誰でもはそのブースの内部に立入ることができないようにした設備がある。
【０００６】
上記における間仕切り部材などにより囲ったブースでは、出入口を引戸を備えて形成することが多い。これは、引戸の開閉動作は当該ブースの壁面に沿ってなされるので、ヒンジ式扉に比べ開閉時における必要スペースが少なくて済み、スペース効率が良いからである。そして、上記引戸を備えたブースでは、電気錠などの鎖錠設備を設け、該錠の開閉用の鍵を持っていない者、或は、前記錠の解錠コードを知らない者など、立入りが許容されていない者はブース内に立入ることができない入退室管理形態が採られているが、問題もある。
【０００７】
即ち、ブース出入口の引戸に設けられた上記の鎖錠装置では、一例として、引戸の閉じエンド側と閉じた引戸の戸当り側に、鉤金（ラッチ）とこのラッチを受け入れる凹状などのラッチ受けが対向するように配置されているが、ブースを構成する柱部材や壁面部材は、自立型或は衡立型の間仕切りとして形成されたものであるため、柱部材や壁面部材が床と天井の間に突張りタイプで支持されておらず、従って、そのブースに設置されている引戸の開けたとき、或は、閉めた時の衝撃やくり返し開閉動作などによって、前記ラッチとラッチ受けの機械的結合に必要な位置関係にずれが発生し、鎖錠装置が機能しなくなることが多いという点である。
【発明の開示】
【発明が解決しようとする課題】
【０００８】
そこで本発明では、自立型や衡立型の間仕切り部材、或は、該間仕切り部材と既設壁面により形成したブースであって引戸をそのブース出入口に備えたブースにおいて、当該出入口に適用する鎖錠装置を含む入退室管理システムを、上述した従来のこの種ブースに見られた問題点を生じることなく、適合可能にした引戸を備えたブースを提供することを課題とする。
【課題を解決するための手段】
【０００９】
上記課題を解決することを目的としてなされる本発明引戸を備えたブースの構成は、立設した柱部材と壁パネルを有する自立型間仕切り部材により、又は、該間仕切り部材と既設壁面により適宜の平面形状のブースを形成すると共にその一部に出入口を形成し、該出入口に開閉自在の引戸を備えたブースにおいて、前記引戸を閉じたときの引戸前端部と戸当り部、又は、閉じた引戸と当該引戸と対面するブース側の部材に、電磁石と該磁石の磁力に吸着される磁性体とを対設させて成る電磁吸着錠を設ける一方、前記電磁石のオン，オフ動作の制御をする制御部に接続して、登録された人の指静脈パターンなど各人に固有の生体的特徴の同一性の有無を判別する生体認証手段を当該ブースの出入口の近傍に設け、該認証手段により登録された本人であるときのみ、前記制御部に電磁石をオフさせて前記電磁吸着錠を開錠し前記引戸の開放を許容するようにしたことを特徴とするものである。
【００１０】
上記本発明の構成において、引戸に駆動源により自動開閉される自動式引戸を用いた場合の本発明ブースの第二の構成は、立設した柱部材と壁パネルを有する自立型間仕切り部材により、又は、該間仕切り部材と既設壁面により適宜の平面形状のブースを形成すると共にその一部に出入口を形成し、該出入口に開閉自在の引戸を備えたブースにおいて、前記引戸に自動式引戸を用いる一方、前記自動式引戸の開閉動作の制御をする制御部に接続され、かつ、登録された人の指静脈パターンなど各人に固有の生体的特徴の同一性の有無を判別する生体認証手段を当該ブースの出入口の近傍に設け、該認証手段により登録された本人であるときのみ、前記制御部に引戸を開扉動作させるようにしたことを特徴とするものである。
【００１１】
上記の本発明ブースにおいて、使用する間仕切り部材は、壁パネルと壁パネルを挟む左右の柱部材とこれらの柱部材に架設された上部梁部材を備えており、隣合う間仕切り部材同士が柱部材及び／又は上部梁部材において結合できるものを使用する。また、２以上の間仕切り部材が連結されるブースのコーナー部や直線連接部では、重複する柱部材を隣接する間仕切り部材同士で共用する形態とする。
【００１２】
一方、手動式の引戸に適用する電磁吸着錠における電磁石のオン及び／又はオフ状態、或は、自動式引戸における当該引戸の開扉又は閉扉状態を、生体認証手段の検出部の近くにおいて内容が異なる光や音などにより報知するようにすると、手動式の引戸ではその引戸が施錠されているのか開錠されているのか、また、自動式引戸では、引戸が開扉されているのか否かなど、引戸のおかれている状態を、ブースの外部から視認できる。また、ブースが平面視多角形、例えば四角形などの場合、ブースを形成する間仕切り部材における壁面の少なくとも１面又はそれ以上の面を、ブース内が透視できる材料により形成し、ブース内に人が居るか否かを、ブース外から視認できるようにした。なお、引戸に手動式又は電動式の開閉方式のいずれかを選択するかは、任意である。
【発明の効果】
【００１３】
手動式引戸を備えた本発明ブースは、天井と床の間で突張り支持がされない自立型の間仕切り部材、或は、この間仕切り部材と既設壁面により、出入口となる開口部に引戸を備えたブースを形成し、コンピュータ設備などの重要情報を格納した設備や機器などを設置するための前記出入口に設けた引戸の鎖錠装置に、電磁石とそれに吸着される磁性体の組合せペアによる電磁吸着錠を用いたので、前記引戸と戸当り部とに多少の位置ズレや狂いが生じても、ラッチ方式の鎖錠装置のように鎖錠できなくなるということを回避できる。
【００１４】
また、上記電磁吸着錠の電磁石のオン・オフを、このブースに入室が許容される者として登録された人の指の静脈パターンなど、各人に固有の生体情報を基準データとして、入室可能な者であるか否かの判断をし、登録された者である旨の認証がとれた者のみが、前記電磁石のオフ、つまり解錠をして扉を開け入室できるので、誰でも不特定の者が出入可能になり易い従来のこの種ブースに比べ、安全性が格段に向上する。即ち、例えばデータの不正な持出しや不当に漏洩されることなどを防ぐことが可能になる。
【発明を実施するための最良の形態】
【００１５】
次に本発明ブースの実施の形態例について、図を参照して説明する。図１は手動式の引戸を備えた本発明ブースの一例の正面図、図２は図１のＸ−Ｘ矢視拡大断面図、図３は図１のＹ−Ｙ矢視拡大断面図である。
【００１６】
図１は、本発明ブースＢの一例を正面から見た図で、この図において、１，２はブースＢの左，右の外端側に立設したアルミ押出材などによる柱部材たる支柱で、その平断面形状の例は、図２に示す通りである。
【００１７】
図１において３は、上記左右の支柱１，２の上端部に架設した上梁部材で、その断面形状の例は図３に示すとおりである。
【００１８】
図示した本発明ブースＢは、平面から見て略四角形をなすように間仕切り部材を床に立設して形成したブースの少なくとも四隅に、上記支柱１，２と同じ平断面形状を有する支柱を備えており、四隅の支柱の上端間には、上記例の上梁部材３と同じ断面の上梁部材３が架設されている。なお、本発明が適用されるブースＢは、間仕切り部材のみで形成した上記例のブースＢのほか、四角形ブースの場合、その一面〜三面を既設の壁面を利用し、他の面に間仕切り部材を立設して上記のような平面四角形をなすブースに形成したものもある。また、これらの例におけるブースの平面形状も、四角形以外の多角形であってもよい。
【００１９】
図１に示したブースＢの正面側には、左半側寄りに、当該ブースＢの正面幅のここでは略１／２より少し小さい幅で開口部４が出入口（本明細書では、出入口も符号４を使用する）として形成されている。この開口部４は、図１の上梁部材３に上端を結合させた２本の中間支柱５，６によって開口幅（左右幅）が区画され、このように床と梁部材３，中間支柱５，６で区画形成された開口部４に、上梁部材３の前面（ブースの外部側）の溝3aに吊下支持されて走行する手動開閉式の引戸７が設けられている。
【００２０】
本発明においては、上記例の手動式の引戸７に代え、モータシリンダやエアシリンダ、或は、モータで走行駆動されるチェーンや索などの駆動源を開閉動作に利用した自動開閉式の引戸（図示せず）を用いて本発明ブースの他の例を形成することもできる。この場合には、図示しないが、図３の上梁部材３の前面（溝3aの側）に、自動開閉機構を内装した自動引戸専用のレール梁を設けることとなる。
【００２１】
上記の引戸７が設けられた開口部４以外のブース壁面は、図示した例では支柱１，２や中間支柱５，６並びに上梁部材３などに支持された壁面部材８（パネル８ともいう）が取付けられてこのブースＢの周囲を形成しているが、本発明ブースは、先にも述べたようにブース壁面の一部を既設の壁面を利用して壁面部材８と既設壁面に囲まれたブースを形成することができる。図に例示した本発明ブースＢにおいては、ブースＢの周囲の各壁面部材８のうち、開口部４における引戸７の閉じ終端側のパネルを袖パネル81に形成し、この袖パネル81の外面や内部などに、前記引戸７の戸当り部９と鎖錠装置である電磁吸着錠10における電磁石10a、並びに、個人認証用のセンサー部11、及び、当該センサー部11と前記電磁石10aに接続される制御部12とこの制御部12に接続された２個の表示灯13，14（図１参照）が設けられている。ここで、表示灯13は赤色、表示灯14は緑色を用いるが、表示灯13，14を何色にするかは任意である。
【００２２】
他方、引戸７は、図２に例示した実施例では四角状に組まれた外周枠7aにポリカーボネートなどの透明板乃至半透明板による引戸パネル7bを取付け、戸当り９に面した外周枠7aの内，外両面に引手ハンドル7c，7dを設け、更に、中間支柱５の戸当り９の外面に設けた電磁石10aに対向した部位に鉄板などによる磁性体10bが設けられている。なお、7eはこの実施例において磁性体10bを引戸７の外周枠7aの裏面（ブース内側）に保持するための支持ステーである。また、外周枠7aにおける上部の枠7aの前，後部には、図示しないが、梁部材３の外面の溝3aに支持案内されて、この溝内を走行する吊り車輪が取付けられている。
【００２３】
本発明においては、電磁吸着錠10が設けられる部位は、上記例の戸当り部９とそれに対向する引戸７の部位に限られず、この引戸７を閉じたとき、当該引戸７の構成部分と対向する開口部４における壁面部材８の構成部分に、電磁石10aと磁性体10bとを、引戸７の開閉動作を阻害しないように対向して設けることができる。
【００２４】
認証用センサー部11は、人がそのセンサー部11に、例えば母指の腹を乗せると、当該センサー部11の内側に組込まれたカメラや照明光源（図に表われず）が作動して前記母指の静脈パターンを読取り、その読取りデータを制御部12に入力するように形成されたものである。認証用センサー部11は、本発明で採用する生体的特徴、例えば、虹彩パターンや指紋などを検出する場合には、それに応じた形態，内容を具備したセンサーとなる。
【００２５】
制御部12は、一例として、予め登録してある入室許可者の母指の静脈パターンのデータと、上記センサー部11から入力される入室しようとする者の母指の静脈パターンの読取りデータとを比較し、一致していれば電磁石10aをオフする信号を形成して出力し、不一致であれば電磁石10aのオン状態を維持するように作動する。上記において、指の静脈パターンは、母指に限られるものではない。また、本発明における生体認証手段としては、生態的特徴が上記の静脈パターンのほか、眼の虹彩パターン，指紋，掌紋などのいずれかの場合には、それに対応した生体認証手段を選択して採用することになる。
【００２６】
上記の電磁吸着錠10において電磁石10aがオフになると、この磁石10aに吸着されていた引戸７の磁性体10bに作用していた吸着力が解除されるので、手動式引戸７ではハンドル7cを持って図の右方へ引けば、自由に開けることができる。自動式引戸の場合には、その駆動源（モータ）に対するロック．アンロックによる施解錠をするので、上記の認証条件で駆動源のロックが解除されて自動開扉動作をすることになる。
【００２７】
制御部12における電磁石10aのオフ指令は、一例として、前記センサー部11からの読取りデータと登録データとの一致がとれて入室認証信号が出力されたときであって任意に設定できるタイマーによる数秒間、並びに、ブースＢの内部の袖パネル81に設けた電磁力10aのオン状態解除ボタン（図に表われず）が操作されたときのみの２つの条件で出力されるように設定し、それ以外の場合は、常時電磁石10aがオン状態を保持するようなシーケンスを設定する。なお、電磁石10aのオフ指令の条件は、上記例に限られるものではなく、制御部12に任意に設定可能である。
【００２８】
また、ここでは、電磁石10aと磁性体10bの間にタッチセンサ（図に表われず）を設けておき、制御部12において入室が認証されて電磁石10aがオフになり、入室認証された者によって引戸７が開けられ前記タッチセンサからの信号が無くなると、ブースＢの内部に人が入ったと制御部12が判別して、その旨の信号を出力するように、制御部12を形成している。
【００２９】
そうすると、引戸７が閉じられて電磁石10aがオン状態にあるときは、ブース内に誰でも入っておらず、かつ、施錠中であることを、制御部12の信号に基づいて赤の表示灯13を点灯させることにより、周囲に報知することができる。また、制御部12で入室認証が取れて電磁石10aがオフになっても引戸７が開けられない、つまり人がブース内に入らない場合にも、赤の表示灯13は点灯のままである。前記タッチセンサからの信号が出たままで制御部12がブース内に人が入ったと判断しないからである。従って、電磁石10aが一旦オフになっても引戸７を開けずに設定時間が経過すると前記オフの電磁石10aがオン常態に戻り、引戸７を鎖錠するので、入室するには改めてセンサー部11で認証を取る必要がある。なお、上記シーケンスは、自動引戸に対しては、認証が取れると自動開扉するが、開扉された引戸７は設定された時間のあと、自動閉扉するように適用される。
【００３０】
一方、入室認証が取れてから引戸７が開けられたことが制御部12に検出されると、その旨の信号出力によって緑の表示灯14が点滅すると共に、チャイムなどのような電子音が鳴ってブース内部に人が居ることを外部に報知する。この場合において、引戸７を閉じ、電磁石10aがオン状態（電磁石10aの入室認証によるオフ時間は数秒）のため引戸７が鎖錠状態になっても、上記表示灯14と電子音の鳴奏は停止させない。表示灯14の点滅と電子音鳴奏の停止は、ブース内の解除ボタンの操作による信号が制御部12に入力することを条件とするシーケンスを当該制御部12に組込んでいるからである。なお、本発明ではシーケンスの設定内容を変え、鎖錠状態になれば、表示灯14と電子音の動作を止めて表示灯13の点灯に変更するようにすることもできる。
【００３１】
上記例における赤色の表示灯13の点灯は、電磁吸着錠10が鎖錠状態にあってブース内部に人が居ないことを意味し、緑色の表示灯14の点滅と電子音の鳴奏は、引戸７が閉じられていてもブース内部に人が居ることを意味することとなる。この点は、引戸７が開け放し状態のときも同様である。一方、上記例における緑色の表示灯14の点滅と電子音の鳴奏を、引戸７が開状態又は閉状態にあるか否か、並びに、ブース内に人が居るか否かの如何に拘らず、電磁吸着錠10が解錠されて引戸７を開けることができる状態にあることを意味するように制御部12を設定してもよい。
【００３２】
本発明において、上記センサー部11と制御部12による本人（入室許可者）か否かの認証は、本人の場合には制御部12により、手動式の引戸７では電磁石10aをオフにし、自動式引戸ではその引戸を開扉して表示灯14の点滅と電子音の鳴奏をさせ、そうでない場合には、常時、表示灯13を点灯させて開扉できないことを報知するようなシンプルな内容のシーケンスにより実行してもよい。ここでの電子音の鳴奏は、電磁石10aがオフ、つまり開錠状態、或は、開扉状態を表すので、引戸７の鎖錠忘れを防ぐ役割を果す。
【産業上の利用可能性】
【００３３】
本発明は以上の通りであって、次のような具体的効果が得られるから、産業上の利用可能性は至って大きい。
(イ) ブースの出入口に、開閉動作時に旋回スペースが不要な引戸を使用したので、出入口用の開口部を大きく形成することができ、コンピュータを始めとする大形の設置機材でも出入れが容易になる。
(ロ) 引戸は、それが手動式引戸の場合には一例として出入口の戸当りとの間に、電磁吸着錠を鎖錠手段として設けたので、引戸の開閉動作によって電磁石とそれに吸着される磁性体の間に多少の位置ずれが生じても、鎖錠機能は何ら損なわれない。
(ハ) 自立型間仕切り部材などにより形成するブースに使用する当該間仕切り部材の高さを天井近くまで高くしたり、上部に柵状などの付加壁面を設けると、人が壁を乗越えてブース内部に立入ることを有効に防ぐことができる。
【図面の簡単な説明】
【００３４】
【図１】本発明ブースの一例の正面図。
【図２】図１のＸ−Ｘ矢視拡大断面図。
【図３】図１のＹ−Ｙ矢視拡大断面図。
【符号の説明】
【００３５】
１，２    支柱
３        上梁部材
3a        溝
４        開口部
５，６    中間支柱
７        引戸
7a        外周枠
7b        引戸パネル
7c，7d    引手ハンドル
８        壁面部材
81        袖パネル
９        戸当り部
10        電磁吸着錠
10a       電磁石
10b      磁性体
11        センサー
12        制御部
13，14    表示灯
Ｂ        ブース
【図１】
2006037452.tif 000003
【図２】
2006037452.tif 000004
【図３】
2006037452.tif 000005